【手続補正書】
【提出日】平成27年9月14日(2015.9.14)
【手続補正１】
【補正対象書類名】特許請求の範囲
【補正対象項目名】全文
【補正方法】変更
【補正の内容】
【特許請求の範囲】
【請求項１】
ビデオブロックを受信し、前記ビデオブロックは、前記ビデオブロックのサブサンプリングされたサブブロック、および前記ビデオブロックの１または複数の残りのサブサンプリングされたブロックを表すパラメータを含み、前記サブサンプリングされたサブブロックは、前記ビデオブロックの２以上の行および２以上の列からのピクセルを含み、
前記ビデオブロックに対する予測モードを決定し、
前記予測モードに基づいて、予測されサブサンプリングされたサブブロックを生成し、
前記予測されサブサンプリングされたサブブロックおよび前記パラメータに基づいて、再構築されサブサンプリングされたサブブロックを生成し、
前記再構築されサブサンプリングされたサブブロックおよび前記予測モードに基づいて、予測された１または複数の残りのサブサンプリングされたブロックを生成する
ように構成されたプロセッサを含むことを特徴とするデバイス。
【請求項２】
前記１または複数の残りのサブサンプリングされたブロックのピクセルは、前記サブサンプリングされたサブブロックの少なくとも２つのピクセルを使用して予測されることを特徴とする請求項１に記載のデバイス。
【請求項３】
前記１または複数の残りのサブサンプリングされたブロックの第１のブロックのピクセルは、前記サブサンプリングされたサブブロックのピクセル、および前記１または複数の残りのサブサンプリングされたブロックの第２のブロックのピクセルを使用して予測されることを特徴とする請求項１に記載のデバイス。
【請求項４】
前記サブサンプリングされたサブブロックは、複数のピクセルを含み、および前記サブサンプリングされたサブブロックの前記複数のピクセルは、前記ビデオブロックの非隣接ピクセルであることを特徴とする請求項１に記載のデバイス。
【請求項５】
前記１または複数の残りのサブサンプリングされたブロックは、複数のピクセルを含み、および前記１または複数の残りのサブサンプリングされたブロックの前記複数のピクセルの各々は、前記サブサンプリングされたブロックの少なくとも１つのピクセルの隣接ピクセルであることを特徴とする請求項１に記載のデバイス。
【請求項６】
前記サブサンプリングされたサブブロックは、前記ビデオブロックの２以上の行のピクセル、または前記ビデオブロックの２以上の列のピクセルを含むことを特徴とする請求項１に記載のデバイス。
【請求項７】
前記プロセッサは、
逆量子化パラメータおよび逆変換パラメータの第１のセットを使用して、前記サブサンプリングされたサブブロックに関連付けられた係数を逆量子化および逆変換することにより、再構築されたサブブロック残差を生成し、
逆量子化パラメータおよび逆変換パラメータの第２のセットを使用して、前記１または複数の残りのサブサンプリングされたブロックに関連付けられた係数を逆量子化および逆変換することにより、前記１または複数の残りのサブサンプリングされたブロックの再構築された残差を生成する
ように構成されることを特徴とする請求項１に記載のデバイス。
【請求項８】
逆量子化パラメータおよび逆変換パラメータの前記第１のセットは、逆量子化パラメータおよび逆変換パラメータの前記第２のセットとは異なることを特徴とする請求項７に記載のデバイス。
【請求項９】
逆量子化パラメータおよび逆変換パラメータの前記第１のセット、または逆量子化パラメータおよび逆変換パラメータの前記第２のセットは、形状適応離散コサイン変換に関連付けられることを特徴とする請求項７に記載のデバイス。
【請求項１０】
前記予測モードは、垂直予測モード、水平予測モード、または対角予測モードであることを特徴とする請求項１に記載のデバイス。
【請求項１１】
前記予測モードは、ＤＣ予測モード、または平面予測モードであることを特徴とする請求項１に記載のデバイス。
【請求項１２】
前記ビデオブロックは、ビデオ信号のルマ成分またはクロマ成分であることを特徴とする請求項１に記載のデバイス。
【請求項１３】
ビデオブロックを受信するステップであって、前記ビデオブロックは、前記ビデオブロックのサブサンプリングされたサブブロック、および前記ビデオブロックの１または複数の残りのサブサンプリングされたブロックを表すパラメータを含み、前記サブサンプリングされたサブブロックは、前記ビデオブロックの２以上の行および２以上の列からのピクセルを含む、ステップと、
前記ビデオブロックに対する予測モードを決定するステップと、
前記予測モードに基づいて、予測されサブサンプリングされたサブブロックを生成するステップと、
前記予測されサブサンプリングされたサブブロックおよび前記パラメータに基づいて、再構築されサブサンプリングされたサブブロックを生成するステップと、
前記再構築されサブサンプリングされたサブブロックおよび前記予測モードに基づいて、予測された１または複数の残りのサブサンプリングされたブロックを生成するステップと
を備えたことを特徴とする方法。
【請求項１４】
前記１または複数の残りのサブサンプリングされたブロックのピクセルは、前記サブサンプリングされたサブブロックの少なくとも２つのピクセルを使用して予測されることを特徴とする請求項１３に記載の方法。
【請求項１５】
前記１または複数の残りのサブサンプリングされたブロックの第１のブロックのピクセルは、前記サブサンプリングされたサブブロックのピクセル、および前記１または複数の残りのサブサンプリングされたブロックの第２のブロックのピクセルを使用して予測されることを特徴とする請求項１３に記載の方法。
【請求項１６】
前記サブサンプリングされたサブブロックは、複数のピクセルを含み、および前記サブサンプリングされたサブブロックの前記複数のピクセルは、前記ビデオブロックの非隣接ピクセルであることを特徴とする請求項１３に記載の方法。
【請求項１７】
ビデオブロックを受信し、前記ビデオブロックは、前記ビデオブロックのサブサンプリングされたサブブロック、および前記ビデオブロックの１または複数の残りのサブサンプリングされたブロックを表すパラメータを含み、
前記ビデオブロックに対する予測モードを決定し、
前記予測モードに基づいて、予測されサブサンプリングされたサブブロックを生成し、
前記予測されサブサンプリングされたサブブロックおよび前記パラメータに基づいて、再構築されサブサンプリングされたサブブロックを生成し、
前記再構築されサブサンプリングされたサブブロックおよび前記予測モードに基づいて、予測された１または複数の残りのサブサンプリングされたブロックを生成し、前記１または複数の残りのサブサンプリングされた第１のブロックのピクセルは、少なくとも２つのピクセルを使用して予測される
ように構成されたプロセッサを含むことを特徴とするデバイス。
【請求項１８】
前記１または複数の残りのサブサンプリングされたブロックの前記第１のブロックの前記ピクセルは、前記サブサンプリングされたサブブロックの少なくとも２つのピクセルを使用して予測されることを特徴とする請求項１７に記載のデバイス。
【請求項１９】
前記１または複数の残りのサブサンプリングされたブロックの前記第１のブロックの前記ピクセルは、前記サブサンプリングされたサブブロックの少なくとも１つのピクセル、および前記１または複数の残りのサブサンプリングされたブロックの第２のブロックの少なくとも１つのピクセルを使用して予測されることを特徴とする請求項１７に記載のデバイス。
【請求項２０】
前記サブサンプリングされたサブブロックは、複数のピクセルを含み、および前記サブサンプリングされたサブブロックの前記複数のピクセルは、前記ビデオブロックの非隣接ピクセルであることを特徴とする請求項１７に記載のデバイス。